(57)【特許請求の範囲】
【請求項１】
被写体を撮像して画像データを出力する撮像手段と、
前記撮像手段から出力された画像データに圧縮処理および圧縮処理以外の他の画像処理を行う画像処理手段と、
前記画像処理手段によって圧縮処理および圧縮処理以外の他の画像処理が行われた画像データを記録する記録手段と、
第１の撮影条件で前記撮像手段に撮像させて第１の画像データを出力させた後、該第１の撮影条件と異なる第２の撮影条件で前記撮像手段に撮像させて第２の画像データを出力させるブラケティング制御手段と、
前記ブラケティング制御手段による撮影中は、前記圧縮処理および圧縮処理以外の他の画像処理の変更を禁止する画像処理制御手段とを備えることを特徴とする電子スチルカメラ。
【請求項２】
請求項１に記載の電子スチルカメラにおいて、
前記圧縮処理以外の他の画像処理には、ホワイトバランス調整処理および階調補正処理のうちの少なくとも一方が含まれることを特徴とする電子スチルカメラ。
【請求項３】
請求項１または２に記載の電子スチルカメラにおいて、
前記画像処理手段によって行われる画像処理をユーザの指示により変更する画像処理変更手段をさらに備え、
前記画像処理制御手段は、前記画像処理変更手段によって変更された画像処理については、前記画像処理変更手段によって変更された画像処理で前記画像データの画像処理を前記画像処理手段に行わせ、
前記ブラケティング制御手段は、前記画像処理変更手段によって前記画像処理の変更がされた場合、再び、前記第１の撮影条件で前記撮像手段に撮像させて第１の画像データを出力させた後、前記第２の撮影条件で前記撮像手段に撮像させて第２の画像データを出力させることを特徴とする電子スチルカメラ。
【発明の詳細な説明】
【０００１】
【発明の属する技術分野】
本発明は電子スチルカメラに関する。
【０００２】
【従来の技術とその問題点】
露出を段階的に変化させて複数駒の写真を撮影するオートブラケティング撮影が知られている。例えば、被写体が複数の光源により照明されている場合や、被写体から反射光がある場合など、被写体の照明条件が複雑な場合、あるいは、黒っぽい被写体や白っぽい被写体など、被写体濃度が一般的な被写体の条件と異なる場合には、正確に露出を決定することが困難であり、このような場合に段階的に露出を変化させて複数駒のオートブラケティング撮影が行われる。
【０００３】
銀塩フィルムを使用するカメラでは、従来からオートブラケティング撮影が行われているが、露光処理と現像処理とが独立してなされており、フィルムの露光処理をカメラで行い、フィルムの現像と焼き付け処理をラボで行っている。したがって、ラボにおける現像段階の画像処理の内容が、カメラの露光段階における露出制御に影響を与えるようなことはあり得ない。そのため、銀塩フィルムカメラでは、いったんオートブラケティング撮影モードが設定されると、撮影者が設定を解除するか、あるいは露出条件を変更しない限り、オートブラケティング撮影モードの設定が解除されるようなことはない。もちろん、いったんオートブラケティング撮影が開始された後は、撮影者がオートブラケティング撮影を中止するか、あるいは露出条件を変更しない限り、撮影途中でオートブラケティング撮影が中止されるようなこともない。
【０００４】
これに対し電子スチルカメラでは、露光処理に加え、銀塩フィルムの現像処理に相当する画像処理をカメラで行う。そのため、撮像感度、記録サイズ、画像の圧縮率、階調補正、エッジ強調、ホワイトバランスなどの画像処理モードが変更されると、オートブラケティング撮影が影響を受け、最適な露出の画像が得られなくなるという問題がある。
【０００５】
一方、電子スチルカメラでは、通常の撮影モードで撮影した画像を再生する場合の処理とは異なる、特殊な再生処理を行う連続撮影モード（以下、特殊連続撮影モードと呼ぶ）がある。この特殊連続撮影モードには動画撮影モード、マルチ連写モード、露出固定撮影モードおよびＢＳＳ（Best Shot Selector）撮影モードが含まれる。これらの特殊連続撮影機能はオートブラケティング撮影機能と矛盾する撮影モードであり、これらの特殊連続撮影モードとオートブラケティング撮影モードとを同時に設定して撮影を行うと、最適な露出の画像が得られなくなるという問題がある。
【０００６】
本発明の目的は、画像処理モードに対して適切なオートブラケティング撮影動作を実行することにある。
【０００７】
請求項１の発明の電子スチルカメラは、被写体を撮像して画像データを出力する撮像手段と、撮像手段から出力された画像データに圧縮処理および圧縮処理以外の他の画像処理を行う画像処理手段と、画像処理手段によって圧縮処理および圧縮処理以外の他の画像処理が行われた画像データを記録する記録手段と、第１の撮影条件で撮像手段に撮像させて第１の画像データを出力させた後、該第１の撮影条件と異なる第２の撮影条件で撮像手段に撮像させて第２の画像データを出力させるブラケティング制御手段と、ブラケティング制御手段による撮影中は、圧縮処理および圧縮処理以外の他の画像処理の変更を禁止する画像処理制御手段とを備えることを特徴とする。
【０００９】
【発明の実施の形態】
オートブラケティング撮影途中で画像処理の内容を変えることは、段階的に露出を変えながら複数駒の撮影を行い、それらの中から適正な露出の画像を選択するオートブラケティング撮影を阻害することになり、オートブラケティング撮影を行っても最適な画像が得られなくなる。
【００１０】
電子スチルカメラで行われる画像処理モードには撮像感度、記録サイズ、画像データの圧縮率、階調補正、エッジ強調、ホワイトバランス調整などがあり、それらの画像処理モードについて説明する。
【００１１】
《撮像感度》
電子スチルカメラでは、撮像素子からの画像信号に対する増幅ゲインを変えて、フィルムのＩＳＯ感度に相当する撮像感度の変更が可能である。ところが、オートブラケティング撮影途中で撮像感度が変更されると、撮像画像に対する処理が変わるために画像のラチチュードが変化して画像全体の明るさが変わってしまい、段階的に露出を変えても最適露出の画像が得られなくなるおそれがある。
【００１２】
《記録サイズ》
電子スチルカメラではまた、撮像素子により撮像した画像から任意の範囲を切り出し、画像サイズを変更することができる。例えば、２００万画素のＣＣＤで撮影した画像からＶＧＡやＸＧＡサイズの画像を切り出す。ところが、オートブラケティング撮影途中で記録サイズが変更されると、オートブラケティング撮影による複数駒の一連の画像サイズがばらばらになり、最適露出の画像が所望の記録サイズで記録されないことがある。
【００１３】
《圧縮率（画質）》
電子スチルカメラでは、ＪＰＥＧの圧縮率により画質を変更することができる。圧縮率を上げればファイルサイズが小さくなって記録駒数が多くなるが、画質が劣化する。逆に、圧縮率を下げればファイルサイズが大きくなって記録駒数が少なくなるが、画質はよくなる。しかし、オートブラケティング撮影途中で圧縮率を変えると、最適露出の画像が得られなくなるおそれがある。
【００１４】
《階調補正》
電子スチルカメラではさらに、γ補正を行うγカーブを変更し、高輝度の階調を残すようにして画像の白飛びを抑制したり、中間の階調を強調して画像を鮮やかすることができる。ところが、オートブラケティング撮影途中で階調補正を変えると、画質が変化して最適露出の画像に白飛びが発生するなど、最適な画像が得られなくなるおそれがある。
【００１５】
《エッジ強調》
電子スチルカメラでは、画像のエッジを強調または抑制することによって、細かい画像のエッジを強調して見やすくすることができ、また微妙な濃淡のある画像のエッジを抑制して自然な風合いを再現することができる。しかし、オートブラケティング撮影途中でエッジ強調を変化させると、最適露出の画像のエッジが不自然に強調されるなど、最適な画像が得られなくなるおそれがある。
【００１６】
《ホワイトバランス調整》
電子スチルカメラでは、ホワイトバランスを調整して色彩画像を忠実に再現する。ところが、オートブラケティング撮影途中でホワイトバランスを調整すると、画像の色彩が変わってしまい、最適な画像が得られなくなるおそれがある。
【００１７】
この実施の形態では、上述した画像処理モードに対して適切なオートブラケティング撮影動作を実行する。具体的には、▲１▼オートブラケティング撮影中は画像処理モードの変更を禁止する。あるいは、▲２▼オートブラケティング撮影モードが設定されたら画像処理モードの変更を禁止する。さらには、▲３▼画像処理モードが変更されたときにオートブラケティング撮影動作を最初からやり直す。
【００１８】
一方、通常の撮影モードで撮影した画像を再生する場合の処理とは異なる、特殊な再生処理を行う連続撮影モード（特殊連続撮影モード）と、オートブラケティング撮影モードとを同時に設定すると、最適な画像が得られなくなる。まず、特殊連続撮影モードについて説明する。
【００１９】
《動画撮影モード》
電子スチルカメラでは、撮像素子で撮像した画像を１フレームごとに記憶し、撮像時と同じ速度で再生することによって、ビデオカメラと同様に動画を撮影することができる。ところが、動画を撮影するときにオートブラケティング撮影モードを設定すると、１フレームごとに露出が段階的に変化することになり、ちらついた再生映像になってしまう。
【００２０】
《マルチ連写モード》
電子スチルカメラではまた、１駒の中に複数の撮影画像を写し込んだ画像を生成するモードがあり、このマルチ連写撮影では１駒しか生成しないため、撮影駒ごとに段階的に露出を変えて撮影を行うオートブラケティング撮影は基本的にできない。
【００２１】
《露出固定撮影モード》
電子スチルカメラでは、撮影範囲を変えて複数駒の撮影を行い、それらをつなぎ合わせてパノラマ写真を作成するための露出固定撮影モードがある。露出を固定して一連の複数駒の撮影を行うので、つなぎ合わせ部分で画像の明るさが階段状に変化するようなことはない。ところが、露出固定撮影モードにおいて撮影駒ごとに露出を段階的に変化させるオートブラケティング撮影を行うと、つなぎ合わされる駒の露出が異なるため、つなぎ合わせ部で画像の明るさが階段状に変化するパノラマ写真が生成されることになる。
【００２２】
《ＢＳＳ撮影モード》
電子スチルカメラではさらに、複数駒を連続して撮影し、その中からブレが最も少ない駒を選択するＢＳＳ撮影モードがある。しかし、ＢＳＳ撮影モードでオートブラケティング撮影を行うと、ブレが最少の写真が適正露出になるとは限らず、露出が最適でないことがある。
【００２３】
この実施の形態では、上述した特殊連続撮影モードに対して適切なオートブラケティング撮影動作を実行する。具体的には、▲４▼特殊連続撮影モードが設定されているときはオートブラケティング撮影モードの設定を禁止する。逆に、オートブラケティング撮影モードが設定されているときは特殊連続撮影モードの設定を禁止する。あるいは▲５▼特殊連続撮影モードが設定されているときにオートブラケティング撮影モードの設定要求があった場合は、特殊連続撮影モードの設定を解除してオートブラケティング撮影モードを設定する。逆に、オートブラケティング撮影モードが設定されているときに特殊連続撮影モードの設定要求があった場合は、オートブラケティング撮影モードの設定を解除して特殊連続撮影モードを設定する。
【００２４】
図１は一実施の形態の構成を示す図である。
ＣＣＤ１は撮影光学系（不図示）により結像された被写体像を撮影する撮像素子であり、被写体像の明るさに応じたアナログ信号を画素ごとに出力する。入力回路２は、ＣＣＤ１からのアナログ画像信号に対して撮像感度の変更（ゲイン調整）などの処理を行った後、Ａ／Ｄ変換して記録サイズ変更、階調補正（ガンマ補正）、エッジ強調、ホワイトバランス調整などの画像処理を行い、原画像データとして出力する。圧縮／伸長回路３は、設定した圧縮率にしたがって原画像データを圧縮するとともに、圧縮画像データをもとの原画像データに伸長する。
【００２５】
この実施の形態では、ファインモード（圧縮率約１／４）、ノーマルモード（圧縮率約１／８）およびベーシックモード（圧縮率約１／１６）の３種類の画質モードを例に上げて説明する。これらの画質モードは、後述する画質モードスイッチ１７を操作するごとに順に切り替わる。なお、画質モードの種類はこの実施の形態に限定されない。
【００２６】
バッファーメモリ４は撮影後の原画像データおよび圧縮後の圧縮画像データを一時的に記憶するメモリであり、ＳＲＡＭ、ＶＲＡＭ、ＳＤＲＡＭなどを用いることができる。メモリカード５は取り外し可能な記録媒体であり、フラッシュメモリなどを用いることができる。ＬＣＤ６は、連写モード、画質モード、バッテリー残量、撮影枚数などの撮影に必要な情報を表示するための表示パネルである。モニター７は撮影した画像を表示する液晶表示器であり、撮影モード設定時にはＣＣＤ１により撮影した原画像データからモニタ画像生成回路８により表示用画像データを生成して表示するとともに、再生モード設定時にはメモリカード５から読み出した圧縮画像データを圧縮／伸長回路３により伸長し、モニタ画像生成回路８により表示用画像データを生成して表示する。バッテリー９は、カメラに内蔵される各種回路および機器に電力を供給する電源である。
【００２７】
コントローラー１１はマイクロコンピューターとその周辺部品から構成され、電子スチルカメラの各種演算とシーケンス制御を実行する。コントローラー１１には、上述した入力回路２、圧縮／伸長回路３、バッファーメモリ４、メモリカード５、ＬＣＤ６、モニター画像生成回路８、バッテリー９の他に、電源スイッチ１２、レリーズスイッチ１３、ズームアップ（Ｔ）スイッチ１４、ズームダウン（Ｗ）スイッチ１５、メニュー画面スイッチ１６、画質モードスイッチ１７、コマンドダイアルスイッチ１８，１９、ブザー２０などが接続される。
【００２８】
電源スイッチ１２はセレクトダイヤルスイッチになっており、電源OFF、自動撮影Ａ-REC、手動撮影Ｍ-REC、再生ＰLAYの各モードに切り換えることができる。ズームスイッチ１４，１５は、不図示のズームレンズのズーミングの他に、モニター７に表示されたメニュー画面上でのカーソル移動や、各種モードの切り替えや、撮影枚数の設定などにも兼用される。
【００２９】
手動撮影モードＭ-REC設定時にメニュー画面スイッチ１６を操作すると、モニター７に露出補正、測光方式、オートブラケティング撮影などの通常の撮影メニューの他に、上述した画像処理モード、すなわち感度変更、階調補正、エッジ強調、ホワイトバランス調整などのメニューや、上述した特殊連続撮影モード、すなわち動画、マルチ連写、露出固定、ＢＳＳなどのメニューが表示され、ズームスイッチ１４，１５によりカーソルを移動していずれかを選択する。また、再生モードＰLAY設定時にメニュー画面スイッチ１６を操作すると、モニター７にサムネイル、記録画像削除、スライドショーなどの再生メニューが表示され、ズームスイッチ１４，１５によりカーソルを移動していずれかを選択する。
【００３０】
コマンドダイアルスイッチ１８，１９はコマンドダイアル（不図示）の所定の回転角ごとにオン、オフするスイッチであり、時計方向回転でスイッチ１８がオン、オフし、反時計方向回転でスイッチ１９がオン、オフする。コマンドダイアルは、オートブラケティング撮影モードや連写モードの撮影駒数や、露出値、露出補正値などを設定する時に用いる。
【００３１】
画像処理モードに対して適切なオートブラケティング撮影動作を実行するために、▲１▼オートブラケティング撮影中は画像処理モードの変更を禁止する一実施の形態の動作を、図２により説明する。
【００３２】
電源スイッチ１２が手動撮影Ｍ-RECに設定されると、コントローラー１１のマイクロコンピューターは図２に示す制御プログラムを実行する。ステップ１において、オートブラケティング撮影の設定または解除、撮影駒数および露出補正値に変更要求があるかどうかを確認する。変更要求があればステップ３へ進み、変更要求がなければステップ５へ進む。この実施の形態では、撮影駒数３、露出補正値＋１、±０、−１のオートブラケティング撮影を例に上げて説明するが、オートブラケティング撮影における撮影駒数および露出補正値はこの実施の形態に限定されない。
【００３３】
オートブラケティング撮影の設定内容の変更要求があるときは、ステップ２で今回新たにオートブラケティング撮影モードを設定するのかどうかを確認する。今回新たにオートブラケティング撮影モードを設定するときはステップ３へ進み、オートブラケティング撮影駒数を計数するカウンターＣBLKに１を設定し、オートブラケティング撮影モードを設定する。一方、オートブラケティング撮影モードを解除するときはステップ４へ進み、解除処理を行う。
【００３４】
ステップ５において、上述した画像処理モードの変更要求があるかどうかを確認する。なお、この画像処理モードの変更要求には、同一モードにおける画像処理内容の変更も含まれる。画像処理モードの変更要求があればステップ６へ進み、撮影駒数計数カウンターＣBLKが１でないか、つまりすでにオートブラケティング撮影途中であるかどうかを確認する。すでにオートブラケティング撮影が開始され、１駒以上が撮影されているときは、画像処理モードの変更要求があってもその変更を禁止し、ステップ８へ進む。一方、まだオートブラケティング撮影が開始されておらず、１駒も撮影されていないときはステップ７へ進み、変更要求にしたがって画像処理モードを変更する。
【００３５】
ステップ８で、レリーズスイッチ１３によりシャッターレリーズ操作があるかどうかを確認し、レリーズ操作があればステップ９へ進み、なければステップ１へ戻る。シャッターがレリーズされたときは、ステップ９でオートブラケティング撮影モードが設定されているかどうかを確認し、オートブラケティング撮影モードが設定されていればステップ１０へ進み、設定されていなければステップ１６へ進む。
【００３６】
オートブラケティング撮影モードが設定されているときは、ステップ１０〜１５において、駒数計数カウンターＣBLKの計数値に応じた露出補正値を設定する。すなわち、オートブラケティング撮影における第１駒のときは露出補正値に＋１を設定し、第２駒のときは露出補正値に±０を設定し、第３駒のときは露出補正値に−１を設定する。ステップ１６でＣＣＤ１により撮像を行い、続くステップ１７で撮影駒数計数カウンターＣBLKをインクリメントする。
【００３７】
ステップ１８において、撮像した画像を処理する。すなわち、入力回路２により、ＣＣＤ１から入力したアナログ画像信号に対して撮像感度の変更（ゲイン調整）などの処理を行った後、Ａ／Ｄ変換して記録サイズ（ファイルサイズ）の変更、階調補正（ガンマ補正）、エッジ強調、ホワイトバランス調整などの画像処理を行い、原画像データとしてバッファーメモリ４へ出力し、記憶する。さらに、バッファーメモリ４から原画像データを読み出し、圧縮／伸長回路３により設定圧縮率（画質）にしたがって画像データを圧縮し、圧縮後の画像データをふたたびバッファーメモリ４へ記憶する。その後、圧縮後の画像データをバッファーメモリ４からメモリカード５へ転送する。
【００３８】
このように、オートブラケティング撮影中は画像処理モードの変更を禁止するようにしたので、露出を段階的に変化させて複数駒を撮影し、適正露出の写真を得るオートブラケティング撮影を確実に実行することができ、適正露出の写真を得ることができる。
【００３９】
次に、画像処理モードに対して適切なオートブラケティング撮影動作を実行するために、▲２▼オートブラケティング撮影モードが設定されたら画像処理モードの変更を禁止する一実施の形態の動作を、図３により説明する。なお、図２と同様な処理を行うステップは図２と同一のステップ番号を付して相違点を中心に説明する。
【００４０】
ステップ５で上述した画像処理モードの変更要求があることが確認されるとステップ６Ａへ進み、オートブラケティング撮影モードが設定されているかどうかを確認する。オートブラケティング撮影モードが設定されているときは、画像処理モードの変更要求があっても変更を禁止し、ステップ８へ進む。一方、オートブラケティング撮影モードが設定されていないときはステップ７へ進み、変更要求にしたがって画像処理モードを変更する。その他のステップについては、上述した図２に示す実施の形態と同様な処理を行うので説明を省略する。
【００４１】
このように、オートブラケティング撮影モードが設定されているときは、画像処理モードの変更を禁止するようにしたので、露出を段階的に変化させて複数駒を撮影し、適正露出の写真を得るオートブラケティング撮影を確実に実行することができ、適正露出の写真を得ることができる。
【００４２】
次に、画像処理モードに対して適切なオートブラケティング撮影動作を実行するために、▲３▼画像処理モードが変更されたときにオートブラケティング撮影動作を最初からやり直す一実施の形態の動作を、図４により説明する。なお、図２と同様な処理を行うステップは図２と同一のステップ番号を付して相違点を中心に説明する。
【００４３】
ステップ５で上述した画像処理モードの変更要求があることが確認されるとステップ６Ｂへ進み、変更要求にしたがって画像処理モードを変更する。続くステップ７Ａで、オートブラケティング撮影を第１駒からやり直すために、撮影駒数計数カウンターＣBLKに１を設定する。その他のステップについては、上述した図２に示す実施の形態と同様な処理を行うので説明を省略する。
【００４４】
このように、画像処理モードが変更されたときにオートブラケティング撮影動作を最初からやり直すようにしたので、露出を段階的に変化させて複数駒を撮影し、適正露出の写真を得るオートブラケティング撮影を確実に実行することができ、適正露出の写真を得ることができる。
【００４５】
次に、上述した特殊連続撮影モードに対して適切なオートブラケティング撮影動作を実行するために、▲４▼特殊連続撮影モードが設定されているときはオートブラケティング撮影モードの設定を禁止し、逆に、オートブラケティング撮影モードが設定されているときは特殊連続撮影モードの設定を禁止する、一実施の形態の動作を図５により説明する。なお、上述した図２に示す処理と同様な処理を行うステップに対しては図２と同一のステップ番号を付して相違点を中心に説明する。
【００４６】
電源スイッチ１２が手動撮影Ｍ-RECに設定されると、コントローラー１１のマイクロコンピューターは図５に示す制御プログラムを実行する。ステップ２１において、オートブラケティング撮影モードの設定要求があるかどうかを確認し、設定要求があればステップ２２へ進み、なければステップ２４へ進む。オートブラケティング撮影モードの設定要求があるときは、ステップ２２で上述した特殊連続撮影モードが設定されているかどうかを確認する。特殊連続撮影モードが設定されているときは、オートブラケティング撮影モードの設定要求があってもその設定を禁止し、ステップ２４へ進む。一方、オートブラケティング撮影モードの設定要求があるときに特殊連続撮影モードが設定されていない場合は、ステップ２３でオートブラケティング撮影モードを設定し、ステップ２４へ進む。
【００４７】
ステップ２４において、特殊連続撮影モードの設定要求があるかどうかを確認し、設定要求があればステップ２５へ進み、なければステップ８へ進む。特殊連続撮影モードの設定要求があるときは、ステップ２５でオートブラケティング撮影モードが設定されているかどうかを確認する。オートブラケティング撮影モードが設定されているときは、特殊連続撮影モードの設定要求があってもその設定を禁止し、ステップ８へ進む。一方、特殊連続撮影モードの設定要求があるときにオートブラケティング撮影モードが設定されていない場合は、ステップ２６で設定要求のある特殊連続撮影モードを設定し、ステップ８へ進む。その後、ステップ８〜１８において上述したように撮影動作を実行する。
【００４８】
このように、特殊連続撮影モードが設定されているときはオートブラケティング撮影モードの設定を禁止し、逆に、オートブラケティング撮影モードが設定されているときは特殊連続撮影モードの設定を禁止するようにしたので、オートブラケティング撮影モードと特殊連続撮影モードとが同時に設定されるのを防止でき、オートブラケティング撮影モード設定時には適正露出の写真を確実に撮影でき、特殊連続撮影モード設定時には設定モードの最適な連続撮影を確実に実行することができる。
【００４９】
次に、上述した特殊連続撮影モードに対して適切なオートブラケティング撮影動作を実行するために、▲５▼特殊連続撮影モードが設定されているときにオートブラケティング撮影モードの設定要求があった場合は、特殊連続撮影モードの設定を解除してオートブラケティング撮影モードを設定し、逆に、オートブラケティング撮影モードが設定されているときに特殊連続撮影モードの設定要求があった場合は、オートブラケティング撮影モードの設定を解除して特殊連続撮影モードを設定する一実施の形態の動作を、図６により説明する。なお、上述した図２に示す処理と同様な処理を行うステップに対しては図２と同一のステップ番号を付して相違点を中心に説明する。
【００５０】
電源スイッチ１２が手動撮影Ｍ-RECに設定されると、コントローラー１１のマイクロコンピューターは図６に示す制御プログラムを実行する。ステップ２１において、オートブラケティング撮影モードの設定要求があるかどうかを確認し、設定要求があればステップ２２Ａへ進み、なければステップ２４へ進む。オートブラケティング撮影モードの設定要求があるときは、ステップ２２Ａで上述した特殊連続撮影モードの設定を解除し、続くステップ２３Ａでオートブラケティング撮影モードを設定する。
【００５１】
ステップ２４において、特殊連続撮影モードの設定要求があるかどうかを確認し、設定要求があればステップ２５Ａへ進み、なければステップ８へ進む。特殊連続撮影モードの設定要求があるときは、ステップ２５Ａでオートブラケティング撮影モードの設定を解除し、続くステップ２６Ａで設定要求のある特殊連続撮影モードを設定する。その後、ステップ８〜１８において上述したように撮影動作を実行する。
【００５２】
このように、特殊連続撮影モードが設定されているときにオートブラケティング撮影モードの設定要求があった場合は、特殊連続撮影モードの設定を解除してオートブラケティング撮影モードを設定し、逆に、オートブラケティング撮影モードが設定されているときに特殊連続撮影モードの設定要求があった場合は、オートブラケティング撮影モードの設定を解除して特殊連続撮影モードを設定するようにしたので、オートブラケティング撮影モードと特殊連続撮影モードとが同時に設定されるのを防止でき、オートブラケティング撮影モード設定時には適正露出の写真を確実に撮影でき、特殊連続撮影モード設定時には設定モードの最適な連続撮影を確実に実行することができる。
【００５３】
なお、上述した一実施の形態ではシャッターレリーズごとに１駒ずつ撮影動作を行うオートブラケティング撮影を例に上げて説明したが、一度のシャッタレリーズ操作で一連のオートブラケティング撮影駒数だけ連続して撮影動作を行うオートブラケティング撮影方法に対しても本発明を適用でき、同様な効果が得られる。
【００５４】
本発明によれば、画像処理モードに対して適切なオートブラケティング撮影動作を実行することができる。
【図面の簡単な説明】
【図１】  一実施の形態の構成を示す図である。
【図２】  オートブラケティング撮影中は画像処理モードの変更を禁止する一実施の形態の動作を示すフローチャートである。
【図３】  オートブラケティング撮影モードが設定されたら画像処理モードの変更を禁止する一実施の形態の動作を示すフローチャートである。
【図４】  画像処理モードが変更されたときにオートブラケティング撮影動作を最初からやり直す一実施の形態の動作を示すフローチャートである。
【図５】  特殊連続撮影モードが設定されているときはオートブラケティング撮影モードの設定を禁止し、逆に、オートブラケティング撮影モードが設定されているときは特殊連続撮影モードの設定を禁止する、一実施の形態の動作を示すフローチャートである。
【図６】  特殊連続撮影モードが設定されているときにオートブラケティング撮影モードの設定要求があった場合は、特殊連続撮影モードの設定を解除してオートブラケティング撮影モードを設定し、逆に、オートブラケティング撮影モードが設定されているときに特殊連続撮影モードの設定要求があった場合は、オートブラケティング撮影モードの設定を解除して特殊連続撮影モードを設定する一実施の形態の動作を示すフローチャートである。
【符号の説明】
１  ＣＣＤ
２  入力回路
３  圧縮／伸長回路
４  バッファーメモリ
５  メモリカード
６  ＬＣＤ
７  モニター
８  モニター画像生成回路
９  バッテリー
１１  コントローラー
１２  電源スイッチ
１３  レリーズスイッチ
１４  ズームアップスイッチ
１５  ズームダウンスイッチ
１６  メニュースイッチ
１７  画質モードスイッチ
１８，１９  コマンドダイアルスイッチ
２０  ブザー
【図１】
0004273605.tif 000002
【図２】
0004273605.tif 000003
【図３】
0004273605.tif 000004
【図４】
0004273605.tif 000005
【図５】
0004273605.tif 000006
【図６】
0004273605.tif 000007